(57)【特許請求の範囲】
【請求項１】
塗膜転写テープを巻回した繰出リールを回転可能に受ける第１支持軸が設けられた第１板と、繰出リールから繰り出されて使用された使用済みテープを巻き取る巻取リールを回転可能に受ける第２支持軸が設けられた第２板とが、ケース内に互いにスライド可能に配置されており、繰出リールと巻取リールとが接近する方向に繰出リールと巻取リールの少なくともいずれか一方を常時付勢する付勢手段が第１板または第２板のいずれか一方に一体的に形成されて繰出リールと巻取リールとのそれぞれの最外周面同士を常時接触させて繰出リールの回転と共に巻取リールを回転させるようになすと共に、第１板及び第２板がケースから外して交換可能であることを特徴とする塗膜転写具。
【発明の詳細な説明】
【０００１】
【発明の属する技術分野】
本発明は、塗膜転写テープから塗膜を転写することにより消し具、マーカーまたは糊等として使用することができる塗膜転写具に関する。
【０００２】
【従来の技術】
従来、この種の塗膜転写具としては、特開平５−５８０９７号公報や特開平５−１７８５２５号公報に記載されたものがある。この公報では、塗膜転写テープを巻回した繰出リールに大歯車が設けられており、一方の使用済みテープを巻き取る巻取リールには上記大歯車と噛合う小歯車が設けられており、使用時に塗膜転写テープが繰出リールから繰り出され、繰出リールが回転すると、大小の歯車を介して巻取リールが回転し、使用済みテープを自動的に巻き取るように構成された塗膜転写具が記載されている。
【０００３】
【発明が解決しようとする課題】
しかしながら、かかる従来の塗膜転写具においては、大小の歯車を使用するため、部品点数が多く安価に製造することができないという問題がある。
さらに、塗膜転写テープの使用によって、繰出リールの外径が小さくなり、巻取リールの外径が大きくなっていくと、繰出速度が遅くなる一方、巻取速度が速くなってしまうため、同期がとれずにテープに過大な張力がかかる、という問題があり、このため、繰出リールまたは巻取リールをスリップ可能に構成しなければならず、複雑になるという問題がある。
【０００４】
本発明はかかる問題点に鑑みなされたもので、請求項１記載の発明は、安価に製造することができ、簡単な構成で塗膜転写テープの繰出と使用済みテープの巻取の同期を常にとることができる塗膜転写具を提供することをその目的とする。
【０００５】
【課題を解決するための手段】
上記目的を達成するために本発明の塗膜転写具は、塗膜転写テープを巻回した繰出リールを回転可能に受ける第１支持軸が設けられた第１板と、繰出リールから繰り出されて使用された使用済みテープを巻き取る巻取リールを回転可能に受ける第２支持軸が設けられた第２板とが、ケース内に互いにスライド可能に配置されており、繰出リールと巻取リールとが接近する方向に繰出リールと巻取リールの少なくともいずれか一方を常時付勢する付勢手段が第１板または第２板のいずれか一方に一体的に形成されて繰出リールと巻取リールとのそれぞれの最外周面同士を常時接触させて繰出リールの回転と共に巻取リールを回転させるようになすと共に、第１板及び第２板がケースから外して交換可能であることを特徴とする。
【０００６】
塗膜転写テープが使用されて繰出リールから繰り出されると繰出リールが回転するが、繰出リールと巻取リールとは互いの最外周面同士が接触しており、巻取リールも繰出リールと共に反対方向へ回転して使用済みテープを自動的に巻き取る。
【０００８】
【発明の実施の形態】
以下、図面を用いて本発明の実施の形態を説明する。図１は本発明の塗膜転写具の第１の実施の形態を表す断面図（ケース内は断面としていない）であり、図２は図１の２−２線に沿って見た断面図、図３は正面図、図４は図１の４−４線に沿って見た断面図である。
【０００９】
各図において、１０はケースであり、ケース１０は、ヒンジ部１０ａによって開閉可能に形成された上蓋部１０ｂと下蓋部１０ｃからなり、上蓋部１０ｂと下蓋部１０ｃとは、係止部１０ｄにおいて係止されて内部空間を形成すると共に、ケース１０の先端には開口１１が形成されている。
このケース１０の内部空間には、図２に下蓋部１０ｃから上記内部空間へ突設された突設部１０ｅ、１０ｆが形成されており、各突設部１０ｅ、１０ｆにはめ込まれるようにして、固定板１２がケース１０の下蓋部１０ｃ内に固定されている。一方の突設部１０ｆには固定板１２の円筒形の第１支持軸１２ａがはめ込まれている。
【００１０】
さらに固定板１２の上には、合成樹脂からなる可動板２０が載置される。可動板２０は、固定板１２の上記第１支持軸１２ａと、固定板１２から突設された突設部１２ｂとを摺動可能に収容する長孔２０ａ、２０ｂを有しており、これによって、固定板１２に対してケース１０の長手方向にスライド可能となっている。さらに可動板２０の中央部には開口２０ｃが設けられ、開口２０ｃ内をジグザグに伸びる弾性部２０ｄが可動板２０と一体に形成されている。弾性部２０ｄは、そのジグザグ形状が変形することにより伸縮自在であり、その素材の持つ弾性により付勢力を発生することができる。そして、弾性部２０ｄの先端は、固定板１２に突設された第２突設部１２ｃに係合している。また、上記開口２０ｃと上記長孔２０ｂとの間には、円筒形の第２支持軸２０ｅが形成されている。
【００１１】
前記固定板１２の第１支持軸１２ａには、塗膜転写テープ１６を巻回した繰出リール１８が回転可能に嵌合されている。また、可動板２０の第２支持軸２０ｅには、使用済みテープ２２を巻き取る巻取リール２４が回転可能に嵌合されている。第１支持軸１２ａ及び第２支持軸２０ｅにはそれぞれ繰出リール１８及び巻取リール２４を上から押さえる押板３２、３４が圧入されている。また、第１支持軸１２ａには繰出リール１８及び巻取リール２４を下から支持する支持板３６（図２参照）が圧入されている。
【００１２】
巻取リール２４を支持する第２支持軸２０ｅは、可動板２０の弾性部２０ｄによって常時第１支持軸１２ａの方向へ付勢されており、これによって、繰出リール１８と巻取リール２４とは、互いの最外周面同士が常時ある程度の力でもって接触している。
塗膜転写テープ１６は、例えばプラスチック基材フィルムの上に剥離剤層を介して、白色塗料層等の目的とする塗膜層を積層し、さらにその上に感圧接着剤等の粘着剤層を積層したものからなり、繰出リール１８はハブ１８ａの回りに塗膜転写テープ１６を粘着剤層が外側になるようにして巻回したものからなる。また、使用済みテープ２２は、塗膜転写テープ１６から塗膜層と粘着剤層が除去されたものであり、巻取リール２４はハブ２４ａの回りに使用済みテープ２２を剥離層が外側になるようにして巻回したものからなる。
【００１３】
繰出リール１８から巻き解かれた塗膜転写テープ１６は、下蓋部１０ｃから突設されたガイドピン１０ｇにガイドされて、９０度ねじれて開口１１の方へ向かっている。
開口１１には、固定板１２から開口１１の両側において上下に伸びる縦壁部１２ｄ，１２ｄの間に回動自在に架設されたローラ３０が配設される。ローラ３０の表面には多数の凹凸が刻設されていると良く、これによって塗膜転写テープ１６からの塗膜層の剥離がなされ易くなる。また、開口１１の上下には、上蓋部１０ｂと下蓋部１０ｃから上覆い部１０ｈと下覆い部１０ｉがそれぞれ延設されており、それぞれの先端面はローラ３０と平行になっている。
【００１４】
塗膜転写テープ１６は、ローラ３０の外周を回りながら使用されて、使用済みテープ２２となる。使用済みテープ２２は、開口１１から再びケース内の奥へと向かい再び９０度ねじれ、さらに第２突設部１２ｃにガイドされて巻取リール２４へと巻き取られている。
以上のように構成される塗膜転写具を使用する場合には、使用者がケース１０を持ってローラ３０を塗膜したい例えば紙面上に押し付けながら転動させる。このとき、上覆い部１０ｈと下覆い部１０ｉの先端面を基準にして先端面が平行移動するようにケース１０を移動させるとローラ３０をまっすぐに転動させることができる。こうして、ローラ３０を転動させることによって、ローラ３０に巻回されている塗膜転写テープ１６の粘着剤層が紙面に粘着して、粘着剤層と共に塗膜層が紙面等へ転写される。
【００１５】
このローラ３０の転動と共に塗膜転写テープ１６が繰出リール１８から繰り出され、繰出リール１８が回転するが、繰出リール１８と巻取リール２４とは互いの最外周面同士が接触しているため、巻取リール２４も繰出リール１８と共に反対方向へ回転して使用済みテープ２２を自動的に巻き取ることになる。繰出リール１８は、塗膜転写テープ１６の粘着剤層が外側になるようにして巻回されているため、繰出リール１８と巻取リール２４との間にはある程度の粘着力が発生しており、繰出リール１８がすべりを起こすことはなく、常に一緒に回転することができる。さらに、弾性部２０ｄによって繰出リール１８と巻取リール２４とは常時ある程度の力でもって互いの最外周面同士が接触しているため、繰出リール１８がすべりを起こすことはなく、確実に両リール１８、２４が一緒に回転することができる。こうして、繰出リール１８が繰り出された塗膜転写テープ１６の長さ分に相当する長さだけ巻取リール２４が使用済みテープ２２を巻き取ることになるので、使用済みテープ２２は完全に巻取テープ２４に巻き取られ、テープがたるむことはない。
【００１６】
使用を続けていくと、繰出リール１８の半径が小さくなっていき、巻取リール２４の半径が大きくなっていくが、塗膜転写テープ１６の方が使用済みテープ２２よりも厚さが厚いので、両リール１８、２４の半径の合計は小さくなっていく。この半径の変化に応じて、第２支持軸２０ｅは、弾性部２０ｄによって第１支持軸１２ａの方へ移動していくので、繰出リール１８と巻取リール２４は常に接触した状態を保持することができる。従って、繰出リール１８の半径が変化して繰出速度が変化しても、繰出リール１８に最外周面が接触する巻取リール２４は繰出速度と同じ巻取速度を持つので、テープはたるむことはない。こうして、すべての塗膜転写テープ１６が繰り出されると、図５に示す状態となる。
【００１７】
塗膜転写テープ１６をすべて使用した後は、係止部１０ｄを解放し、上蓋部１０ｂを開いて、ローラ３０を含み固定板１２及び可動板２０ごと下蓋部１０ｃから外して交換し、新たな塗膜転写テープ１６の巻回された繰出リール１８と、またその塗膜転写テープ１６の先端が連結されたハブ２４ａとが装填された可動板２０及び固定板１２を取り付ける。この際に、テープの配回しを行う必要はないので、一般使用者が簡単に交換作業を行うことができる。
【００１８】
このように本実施の形態によれば、歯車等を一切使用することなく塗膜転写テープ１６の繰出と使用済みテープ２２の巻取を同期して行うことができるので、安価に製造することができる。また、塗膜転写テープ１６の使用量に応じて繰出リール１８と巻取リール２４の半径が変化しても、この変化に拘らず、常に繰出と巻取の同期関係を維持することができる。
【００１９】
そして、巻取リール２４を繰出リール１８へ向かって接近するように、常時弾性部２０ｄが第２支持軸である突設部２０ｅを付勢しているため、巻取リール２４と繰出リール１８は常時接触を保持すると共に、ある程度の力でもって接触しているのですべりの発生を防止することができる。
また、弾性部２０ｄと第２支持軸２０ｅとを一体に形成することにより部品点数を抑えることができ、安価に製造することができる。
【００２０】
次に、図６は本発明の塗膜転写具の第２の実施の形態を表す図１相当断面図であり、図７は図６の７−７に沿って見た断面図である。第１の実施の形態と同様の部品については同一の符号を付してその説明を省略する。
本実施の形態では、弾性部を、第２支持軸の形成された可動板と一体に形成する代わりに、第１支持軸の形成された固定板と一体に形成したものである。
【００２１】
即ち、固定板１２’には可動板２０’の上方に逆Ｌ字状に伸びるアーム１２’ｅが形成されており、アーム１２’ｅは、可動板２０’に突設する突設部２０’ｄに係合して、可動板２０’を図において右方に、言い換えれば巻取リール２４を支持する第２支持部２０ｅを繰出リール１８の方へ付勢している。
このようにしても、第１の実施の形態と同様に作用させることができ（仮想線が塗膜転写テープ１６をすべて使用した状態を表す）、また、部品点数も第１の実施の形態に比べて増加することもない。
【００２２】
尚、上記の各実施の形態では、巻取リール２４を支持する第２支持軸２０ｅを可動とし、繰出リール１８に接近する方向へ付勢することとしたが、これに限るものではなく、繰出リール１８を支持する第１支持軸１２ａを可動とし、巻取リール２４に接近する方向へ付勢することとすることも勿論可能である。
また、付勢手段として、可動板または固定板と一体のものについて説明したが、別途スプリングや板バネ等の付勢手段を設けることも勿論可能である。
【００２３】
【発明の効果】
以上説明したように、本発明によれば、歯車等を一切使用することなく簡単な構成で、塗膜転写テープの繰出と使用済みテープの巻取を同期して行うことができるので、安価に製造することができる。
また、繰出リールと巻取リールとが接近する方向に、繰出リールと巻取リールの少なくともいずれか一方を常時付勢する付勢手段を設けたことにより、繰出リールのすべりを防止し、常に繰出リールと巻取リールが一緒に回転することができる。
【００２４】
また、付勢手段を繰出リールと巻取リールのいずれか一方を回転可能に受ける支持軸が設けられる第１板または第２板のいずれか一方に一体的に形成することにより、部品点数を抑えることができ、さらに安価に製造することができる。
【図面の簡単な説明】
【図１】本発明の塗膜転写具の第１の実施の形態を表す断面図である。
【図２】図１の２−２線に沿って見た断面図である。
【図３】第１の実施の形態の塗膜転写具の正面図である。
【図４】図１の４−４線に沿って見た断面図である。
【図５】塗膜転写テープをすべて使用した後の状態を示す図１相当図である。
【図６】本発明の塗膜転写具の第２の実施の形態を表す図１相当断面図である。
【図７】第２の実施の形態の塗膜転写具の図２相当断面図である。
【符号の説明】
１０  ケース
１６  塗膜転写テープ
１８  繰出リール
２０ｄ  弾性部（付勢手段）
２０ｅ  突設部（第２支持軸）
２２  使用済みテープ
２４  巻取リール
【図１】
0003957820.tif 000002
【図２】
0003957820.tif 000003
【図３】
0003957820.tif 000004
【図４】
0003957820.tif 000005
【図５】
0003957820.tif 000006
【図６】
0003957820.tif 000007
【図７】
0003957820.tif 000008